(57)【特許請求の範囲】
【請求項１】
ユーザネットワークに設置および／または装備された装置および／または電気器具を制御する方法において、
管理アプリケーションを提供し、該管理アプリケーションに１つ以上のＵＥを関連づけるステップと、
該関連づけられたＵＥの位置情報を前記管理アプリケーションに提供するステップと、
前記位置情報および設定されたポリシールールに基づいて、前記装置および／または電気器具に対する制御アクションを実行するステップと
を備え、
前記管理アプリケーションが、第三者プロバイダによって提供され、
前記位置情報が前記ＵＥの事業者ネットワークを介して前記管理アプリケーションへ送信され、
前記事業者ネットワークで前記関連づけられたＵＥの位置情報の集約が実行され、該集約された位置情報は、前記事業者ネットワークで実施されるユーザのプライバシー設定が考慮されるように前記管理アプリケーションへ転送される
ことを特徴とする、ユーザネットワークに設置および／または装備された装置および／または電気器具を制御する方法。
【請求項２】
前記位置情報が、すべての前記関連づけられたＵＥに関する地理情報を含むことを特徴とする請求項１に記載の方法。
【請求項３】
前記位置情報が、前記ユーザネットワークの位置に対する前記ＵＥの相対位置情報のみを含むことを特徴とする請求項１に記載の方法。
【請求項４】
前記位置情報が、前記関連づけられたＵＥのうちの１つの相対位置情報のみを含むことを特徴とする請求項１に記載の方法。
【請求項５】
前記ＵＥが、その付近の基地局へのリンク品質を周期的に測定し、測定値の基地局識別子を前記ユーザネットワークの位置で受信される基地局識別子と比較することによって、ＵＥの位置が導出されることを特徴とする請求項１、３および４のいずれか１項に記載の方法。
【請求項６】
前記管理アプリケーションが、前記装置および／または電気器具へ直接に制御コマンドを送信することを特徴とする請求項１ないし５のいずれか１項に記載の方法。
【請求項７】
前記管理アプリケーションが、前記関連づけられたＵＥの少なくとも１つへ通知および／またはフィードバック要求を送信することを特徴とする請求項１ないし５のいずれか１項に記載の方法。
【請求項８】
前記ユーザネットワークに設置および／または装備された前記装置および／または電気器具が、ホームコントローラの制御下で動作することを特徴とする請求項１ないし７のいずれか１項に記載の方法。
【請求項９】
前記ホームコントローラが、前記装置および／または電気器具に対するローカル制御ポリシーを実施するローカルポリシーマネージャを有することを特徴とする請求項８に記載の方法。
【請求項１０】
ユーザネットワークに設置および／または装備された装置および／または電気器具を制御するシステムにおいて、該システムが、
１つ以上のＵＥが関連づけられた管理アプリケーションと、
該関連づけられたＵＥの位置情報を前記管理アプリケーションに提供する手段と
を備え、
前記管理アプリケーションが、前記位置情報および設定されたポリシールールに基づいて、前記装置および／または電気器具に対する制御アクションを実行するように構成され、
前記管理アプリケーションが、第三者プロバイダによって提供されるとともに、前記ＵＥの位置情報を前記ＵＥの事業者ネットワークから受信するように構成され、
前記事業者ネットワークで前記関連づけられたＵＥの位置情報の集約が実行され、該集約された位置情報は、前記事業者ネットワークで実施されるユーザのプライバシー設定が考慮されるように前記管理アプリケーションへ転送される
ことを特徴とする、ユーザネットワークに設置および／または装備された装置および／または電気器具を制御するシステム。
【請求項１１】
前記管理アプリケーションが、特定の位置イベントを専用の制御アクションと関連づけるポリシーマネージャを有することを特徴とする請求項１０に記載のシステム。
【請求項１２】
前記ユーザネットワークに設置および／または装備された前記装置および／または電気器具が、ホームコントローラの制御下で動作することを特徴とする請求項１０または１１に記載のシステム。
【請求項１３】
前記ホームコントローラが、前記装置および／または電気器具に対するローカル制御ポリシーを実施するローカルポリシーマネージャを有することを特徴とする請求項１２に記載のシステム。
【請求項１４】
前記管理アプリケーションは、前記ユーザネットワークに関連づけられたすべてのＵＥが前記ユーザネットワークのまわりの所定エリアの外部にある場合に、前記ユーザネットワークに設置および／または装備された前記装置および／または電気器具を省電力モードにするコマンドを前記ホームコントローラへ送信するように構成されたことを特徴とする請求項１３に記載のシステム。
【請求項１５】
制御される前記装置がフェムトセルであり、前記１つ以上のＵＥが該フェムトセルに接続することを許可されたことを特徴とする請求項１０ないし１４のいずれか１項に記載のシステム。
【発明の詳細な説明】
【技術分野】
【０００１】
本発明は、ユーザネットワークに設置および／または装備された装置および／または電気器具を制御する方法およびシステムに関する。
【背景技術】
【０００２】
今日、ホームネットワーク装置および／または家庭用電気器具の制御は主として手動で、例えば物理的な電源ボタンで装置のオン・オフを切り替えることによって行われる。やや高度な実現化では、制御は管理アプリケーションによって達成される。例えば、GFR Gesellschaft fur Regelungstechnik und Energieeinsparung GmbHによるDigiControl Room 4D eControlは、ビル管理およびビルオートメーションのためのシステムソリューションであり、これによりユーザはＰＣからログオンして、窓を開ける、ブラインドを閉じる、照明をつける、あるいは室温を調整することが可能である（非特許文献１参照）。
【０００３】
ホームネットワーク装置および／または家庭用電気器具を制御するもう１つの既知の方法として、静的ポリシーによるものが挙げられる。例えば、毎日夜中１２時から午前６時までの間、規則的にネットワークをオフにしてもよい。
【０００４】
しかし、従来のすべてのアプローチは、変動する利用の挙動および要求に動的に適応することができない点で不利である。特に、消費電力低減への要求が着実に高まりつつあることを考慮すると、例えばＰＣ、ラップトップコンピュータ、あるいはフェムトセルのようなホームネットワーク装置や、例えばオーブン、暖房システム、洗濯機等の通常の家庭用電気器具を経済的に動作させることが重要である。例えば、これらの装置が実際に使用されていないときにはいつでも、動的に省電力モードにすることが望ましい。
【先行技術文献】
【非特許文献】
【０００５】
【非特許文献１】http://www.gfr.de/gfr/start.asp?site=61001
【発明の概要】
【発明が解決しようとする課題】
【０００６】
したがって、本発明の目的は、ユーザネットワークに設置および／または装備された装置および／または電気器具を制御する方法およびシステムにおいて、変動する利用の挙動および要求に動的に適応することを容易にするような制御の改良およびさらなる展開を行うことである。
【課題を解決するための手段】
【０００７】
本発明によれば、上記の目的は、請求項１の構成を備えた方法によって達成される。この請求項に記載の通り、本方法は、管理アプリケーションを提供し、該管理アプリケーションに１つ以上のＵＥを関連づけるステップと、該関連づけられたＵＥの位置情報を前記管理アプリケーションに提供するステップと、前記位置情報および設定されたポリシールールに基づいて、前記装置および／または電気器具に対する制御アクションを実行するステップとを備えたことを特徴とする。
【０００８】
また、上記の目的は、独立請求項１３の構成を備えたシステムによって達成される。この請求項に記載の通り、本システムは、１つ以上のＵＥが関連づけられた管理アプリケーションと、該関連づけられたＵＥの位置情報を前記管理アプリケーションに提供する手段とを有し、前記管理アプリケーションが、前記位置情報および設定されたポリシールールに基づいて、前記装置および／または電気器具に対する制御アクションを実行するように構成されたことを特徴とする。
【０００９】
本発明によって認識されたこととして、変動する利用の挙動および要求への動的適応は、管理アプリケーションに関連づけられた選択されたＵＥ（のグループ）の位置に基づいて達成することができる。この管理アプリケーションは、ＵＥの位置に関する通知を受信する。この位置情報と、所定のポリシーのセットに基づいて、制御アクションを装置および／または電気器具に対して実行することができる。本発明を適用することにより、最大のエネルギー節減を達成することができる。というのは、ＵＥ位置に応じた動的適応により、装置および電気器具は、実際に必要なときだけ十分に通電されればよいからである。同時に、ユーザの快適性も向上する。というのは、ユーザ側での手動操作が不要だからである。ユーザは一度ポリシールールを指定するだけでよく、その後システムは完全に自動的に動作可能である。
【００１０】
なお、本明細書において使用される「ＵＥ」（User Equipment, ユーザ機器）という用語は、もともとはＵＴＲＡＮ（UMTS Terrestrial Radio Access Network）においてユーザ端末装置の呼称として用いられたものである。しかし、これに関して、いかなる意味でも本発明の範囲を限定することは意図していない。当業者には容易に認識されるように、本発明による方法およびシステムは、いかなる意味でもＵＴＲＡＮに限定されるものではなく、他の任意のワイヤレス通信アーキテクチャにおいても適用可能である。したがって、本明細書において使用される「ＵＥ」という用語は、ユーザによって操作され、ワイヤレス通信を実行する手段を備えた任意の通信装置を一般的に指し示すものである。
【００１１】
好ましい実施形態によれば、位置情報がＵＥから管理アプリケーションへ直接送信されるようにしてもよい。別法として、位置情報がＵＥの事業者ネットワークを介して管理アプリケーションへ送信されるようにしてもよい。このような場合、事業者ネットワーク内で、ユーザのプライバシーレベルを高めるために、プライバシー設定メカニズムを実施することができる。すなわち、事業者ネットワークで位置情報の集約を実行することができ、集約された位置情報のみが管理アプリケーションへ転送される。特に、事業者ネットワークが、（管理アプリケーションへ位置データを転送することに関する）対応するプライバシー設定によってユーザのプライバシーを保障するこのような場合には、管理アプリケーションは、必ずしもユーザ自身の制御下にある必要はなく、第三者プロバイダによって提供されてもよい。
【００１２】
具体的実施形態において、位置情報が、すべての関連づけられたＵＥに関する詳細な地理情報を含んでもよい。しかし、多くの適用場面においては、このような精密な位置情報は、ｉ）管理アプリケーションが適切な制御アクションを実行するためには必要でなく、ｉｉ）ユーザのプライバシーの問題を考慮すると受け入れがたい。そこで、位置情報が、前記ユーザネットワークの位置に対するＵＥの相対位置情報のみを含むようにしてもよい。多くの適用場面においては、単一のＵＥ（特にユーザネットワークの位置の最も近くに位置しているＵＥ）の相対位置情報のみを管理アプリケーションへ送信するだけでも十分である。
【００１３】
確実な位置情報を効果的に提供することに関して、ＵＥが、その付近の基地局へのリンク品質を周期的に測定するようにしてもよい。これらの測定値から、測定値の基地局識別子を前記ユーザネットワークの位置で受信される基地局識別子と比較することによって、ＵＥの位置を導出することができる。別法として、位置情報は、例えばＧＰＳ（全地球測位システム）のような従来の測位システムの配備によって提供されてもよい。
【００１４】
具体的実施形態において、管理アプリケーションは、制御下の装置および／または電気器具へ直接に制御コマンドを送信してもよい。実行されたアクションについて、関連するユーザに知らせるために、対応する通知がＵＥへ送信されてもよい。オーバーヘッドをできるだけ少なく保つために、通知は、すべての関連づけられたＵＥへ送信されるのではなく、１つのみ、特に、関連するユーザがマスタＵＥとして指定したＵＥのみへ送信されるようにしてもよい。例えば、親族世帯での制御場面において、親のＵＥを子のＵＥの上位のマスタＵＥとして指定してもよい。また、制御下の装置および／または電気器具へ制御コマンドを送信する前に、管理アプリケーションは、関連づけられたＵＥの少なくとも１つ（これもマスタＵＥとしてもよい）へフィードバック要求を送信してもよい。このような場合、制御コマンドは、ＵＥから明示的な確認応答があったときにのみ管理アプリケーションによって与えられる。
【００１５】
有利な態様として、管理アプリケーションは、特定の位置イベントを専用の制御アクションと関連づけるポリシーマネージャを有する。これにより、ＵＥによって、または、事業者ネットワーク内で監視される位置イベントの発生に応じて、ある一定の制御アクションをトリガすることが可能となる。例えば、安全管理アプリケーションが、潜在的な危険状況（例えば、誰かがオーブンを付けたまま外出した）についてユーザに警告することができる。この場合、「外出」が位置イベントを構成し、「オーブンを切る」が、管理アプリケーションによって自律的に実行される関連する制御アクションとなる。
【００１６】
好ましい実施形態において、ユーザネットワークに設置および／または装備された装置および／または電気器具が、ホームコントローラの制御下で動作してもよい。このような場合、装置および／または電気器具は、外部すなわち管理アプリケーションに可視である必要はない。ホームコントローラは、制御下の装置および／または電気器具のステータスをチェックするように構成されてもよく、装置および／または電気器具は、定期的にホームコントローラへ動作状態を通信する。
【００１７】
特に高いユーザ快適性に関して、ホームコントローラが、装置および／または電気器具に対するローカル制御ポリシーを実施するローカルポリシーマネージャを有してもよい。ローカル制御ポリシーは、さまざまな状況およびユーザグループに対するカスタマイズを可能にし、個別のニーズおよび要求に従ってユーザ自身によって設定されてもよい。ユーザが設定したポリシーに基づいて、ホームコントローラは、制御下の装置／電気器具へコマンドを発行する。例えば、すべてのＵＥがユーザネットワークから５０ｋｍよりも遠く離れている場合に自動的に警報をオンにする。また、ホームコントローラは、１つ以上のＵＥへアクションに関するそれぞれの通知を送信してもよい。別法として、ホームコントローラは、とるべきアクションについてユーザ／ＵＥに対して明示的な確認応答を要求（例えば、オーブンを切るべきか）してもよい。これに関して、関連するユーザは、いくつかのアクションはすべての関連するユーザに対して確認応答を要求する一方、実行される他のアクションについては単一のＵＥ（場合によっては特定の１つ）の確認応答で十分とみなすと指定してもよい。
【００１８】
具体的な適用場面において、管理アプリケーションは、前記ユーザネットワークに関連づけられたすべてのＵＥが前記ユーザネットワークのまわりの所定エリアの外部にある場合に、ユーザネットワークに設置および／または装備された装置および／または電気器具を省電力モードにするコマンドを前記ホームコントローラへ送信するように構成されてもよい。例えば、この実施態様は、制御対象装置がフェムトセルであり、１つ以上のＵＥがフェムトセルに接続することを許可される場合に実現可能である。フェムトセルは、マクロネットワークのセルエッジにおける容量を増大させるために配備されることが多い。１つの実施態様として、クローズドサブスクライバグループ（closed subscriber group, ＣＳＧ）アクセス制御が挙げられる。これは、許可されたＵＥのみがフェムトセルに接続可能であることを意味する。許可されたＵＥはいつでもフェムトセルにハンドオーバーされる可能性があるので、従来技術のシステムでは、フェムトセルは常時稼働していなければならない。しかし、フェムトセルを永続的に動作状態に保つと、フェムトセルに現在アタッチされているＵＥが存在せず、関連づけられたＵＥがサービスを要求することができない場合であっても、電力を消費してしまう。本発明による方法を適用することにより、すべての関連づけられたＵＥがフェムトセルのエリアを出た場合にフェムトセル（または少なくともその一部）をオフにすることができるので、このエリアにおける電波汚染およびフェムトセルの消費電力が低減される。フェムトセルにアタッチすることが許可されたＵＥにより必要に応じて動的にフェムトセルを起動することは、ＵＥがフェムトセルのエリアに戻ったときにトリガされてもよい。
【００１９】
本発明を好ましい態様で実施するにはいくつもの可能性がある。このためには、一方で独立請求項１および１３に従属する諸請求項を参照しつつ、他方で図面により例示された本発明の好ましい実施形態についての以下の説明を参照されたい。図面を用いて本発明の好ましい実施形態を説明する際には、本発明の教示による好ましい実施形態一般およびその変形例について説明する。
【図面の簡単な説明】
【００２０】
【図１】ＵＥ位置に基づいて家庭用装置および電気器具を制御する本発明によるシステムの実施形態の模式図である。
【図２】ＵＥ位置情報を導出する具体的方法の例示的測定結果の模式図である。
【発明を実施するための形態】
【００２１】
本発明によれば、相対的なＵＥ位置に基づくホームネットワーク装置および電気器具（例えば警報／通知システム）の制御が可能となる。このような警報／通知システムとして以下の例が挙げられるが、これらには限定されない。オーブンがオンのままであるのにすべての端末が自宅を離れた場合に、警報が１つ以上のＵＥへ送信されることが可能である。あるいは、子供が下校または帰宅した場合に、通知が親のＵＥへ送信されることが可能である。どのアクションをとるかは、ＵＥのユーザによって設定されるポリシーによって制御される。このようなポリシーは、ポリシーエンティティによって管理される。ポリシーエンティティは、加入ＵＥの位置情報を受信・集約し、適切な装置へ直接にコマンドを発行するか、あるいは、１つ以上の関連する装置に対してフィードバックを要求する。上記の例を続けると、システムは、オーブンをオフにする（電気器具がこのような遠隔制御に対応していると仮定して）べきかどうかを端末に問い合わせることができる。下校する子供を迎えに出たばかりの大人が昼食の準備中である場合には、このような要求を拒否し、仕事に行く途中の大人は、オーブンを遠隔操作でオフにすることに対して確認応答する。
【００２２】
次に図１を参照すると、本発明の実施形態による、ＵＥ位置に基づいて家庭用装置および電気器具を制御するシステムが例示されている。選択されたＵＥのグループが管理アプリケーションに関連づけられている。このＵＥのグループは、例えば住宅管理アプリケーションの事例の場合には、例えばすべての家族あるいは居住者のＵＥを含み、例えばフェムトセルを制御する場合には、クローズドサブスクライバグループのＵＥを含んでもよい。管理アプリケーションは、ＵＥの相対位置に関する通知を受信する。この情報は、ＵＥからアプリケーションへ直接送信されることも（矢印Ａで示す）、事業者のネットワークを介して送信されることも（矢印Ｂで示す）可能である。プライバシーレベルを高めるため、事業者のネットワーク内で位置情報の集約が実行されることが可能である。
【００２３】
以下、２つの異なる動作モードを要約する。
１．ＵＥのみに基づくモード：
このモードは、ＵＥの位置情報を導出しそれをＵＥ上の管理アプリケーションにのみ送信するステップを実施する。ＵＥは、管理アプリケーションへ直接に自己の位置更新メッセージを送信する。とるべき制御アクションを導出するため、管理アプリケーションは、このアプリケーションに関連づけられたすべてのＵＥの相対位置を比較してもよい。
【００２４】
２．事業者支援モード：
このモードでは、ＵＥは、管理アプリケーションへ位置情報を直接には送信せず、事業者のネットワーク内のアプリケーションへ送信する。このアプリケーションは、ＵＥの位置情報を比較し、管理アプリケーションの要求（例えば、最近接ＵＥの相対位置情報のみを管理アプリケーションへ送信する）に従ってそれを集約する。これにより、第三者アプリケーションプロバイダによる制御アプリケーションの提供を許容しながら、データプライバシー法に準拠し、より高度なユーザのプライバシー要求も充足することが可能となる。位置情報精度は、アプリケーション要求を満たす所望のレベルに調整可能である。事業者のネットワーク内のアプリケーションは、ＵＥの正確な地理的位置を導出し、これを相対位置情報に変換し、この情報の一部のみを管理アプリケーションへ送信することができる。
【００２５】
管理アプリケーションは、ユーザネットワークのサイトで実施されることが可能である。別法として、相対位置情報のみを管理アプリケーションへ送信すればよいので、管理アプリケーションは第三者アプリケーションプロバイダによって提供されることが可能であり、ユーザのプライバシー権が保護される。さまざまなプライバシーレベルに応じて相異なる実施態様が可能である。一方の極端としては、すべてのＵＥの詳細な地理情報をアプリケーションへ送信する。他方の極端としては、１つのＵＥの相対位置情報（例えば、最近接ＵＥは基準位置から５ｋｍ離れている）のみをアプリケーションへ送信する。
【００２６】
管理アプリケーションは、特定の位置イベントを専用の制御アクションと関連づけるポリシーマネージャを有する。相対位置情報およびポリシーマネージャで指定された所定のポリシーのセットに基づいて、管理アプリケーションは、ユーザのアプリケーションおよび装置へ制御コマンドを送信するか（図１には図示せず）、および／または、関連するユーザへ通知またはフィードバック要求を送信する（矢印Ｃ）。
【００２７】
ユーザのネットワーク内のホームコントローラは、ローカルポリシーを実施することにより、より精密な制御メカニズムを実施することができる。例えば、管理アプリケーションが住宅安全アプリケーションである場合、このアプリケーションはＵＥ位置を常時監視する。ＵＥが自宅位置を離れた場合、ホームコントローラへ通知が送信される（矢印Ｄ）。この通知は、例えば、ＴＲ−６９を利用することによって送信してもよい。ＴＲ−６９は、ＨＧＷ（home gateway, ホームゲートウェイ）の設定および管理のために主として使用されている通信プロトコルである。別法として、ＳＮＭＰ（Simple Network Management Protocol）またはＳＩＰ／ＨＲＡＣＳプロトコルを使用してもよい。ホームコントローラは、所定の電気器具（例えばオーブン、住宅用警報装置等）のステータスをチェックする。これは、家庭用電気器具がホームコントローラへ自己のステータスを通信することができるが、外部からは見えないため、住宅安全アプリケーションによって直接に制御することはできないことを仮定している。ユーザが設定したポリシーに基づいて、ホームコントローラは、これらの電気器具へコマンドを発行する。例えば、すべてのＵＥが５０ｋｍよりも遠く離れている場合に自動的に警報をオンにし、そのアクションに関する通知をＵＥへ送信する。別法として、ホームコントローラは、とるべきアクションについてユーザ／ＵＥに対して確認応答を要求（例えば、オーブンを切るべきか？）する（矢印Ｅ）。確認応答要求を受信した後、ユーザは、遠隔操作でオーブンをオフにする等のアクションを実行するために、自己のＵＥを通じて、対応するフィードバックを提供することができる。
【００２８】
上記のシステムは、従来技術の位置ベースのサービスよりも優れている。というのは、１つ以上のＵＥの位置に基づいて任意の装置へ制御コマンドを送信することが可能であり、ポリシーに基づく挙動を本方法に統合し、ユーザとのフィードバック制御ループによりＵＥを中央制御装置とすることができ、住宅制御機能について第三者アプリケーションに対してオープンであるからである。
【００２９】
基本的には、位置監視は、測定（例えば、ＵＥおよびホームネットワークの付近にある基地局の識別）に基づくことも、ＧＰＳに基づくことも、十分に詳細なＵＥ位置探索を可能にする他の任意の技術に基づくことも可能である。図２は、特定の測定に基づく例をやや詳細に例示している。この例によれば、ＵＥは、その付近の基地局へのリンク品質を周期的に測定する。通常のように、このような基地局は一意的に識別される。ＵＥ上のアプリケーションまたは事業者ネットワーク内のアプリケーションは、現在の測定値の基地局識別子を基準位置（例えば自宅、オフィス、学校）にある基地局識別子と比較することによって、端末の位置を導出することができる。
【００３０】
例として、図２に示すように、自宅位置すなわちホームネットワークの位置で、４個の基地局（以下ホームＢＳＴグループと呼ぶ）を監視することができる。ユーザが（自己のＵＥとともに）外出したが、自宅の比較的近くにとどまっている場合、ＵＥは、４個すべての基地局から無線信号を受信する。自宅からさらに離れるにつれて、ホームＢＳＴグループの被監視基地局の個数は減少する。アプリケーション固有の設定で、管理アプリケーションへの位置情報更新をトリガするほどに端末が遠く離れるのはいつかを指定する。例示的な設定としては、ホームＢＳＴグループの４個の被監視ＢＳＴのうちの３個が監視されている場合には依然として自宅位置として扱われ、ホームＢＳＴグループのこれら４個の被監視基地局のうち監視されているＢＳＴが２個以下の場合に更新をトリガする。逆に、ユーザが自宅位置に近づくと、アプリケーションは、ホームＢＳＴグループの４個の基地局のうちの３個が再び監視可能になったとき、更新をトリガする。
【００３１】
管理アプリケーションへ送信される位置更新メッセージは、自宅位置のまわりのエリアに出入りしたという情報のみを含み、正確な位置についてさらに詳細な事項は含まない。相対位置情報のためのさまざまなメトリックが利用可能である。情報の精度は、アプリケーションの要求およびユーザのプライバシー設定に依存する。好ましいメトリックとしては、上記のように、基準位置からｋｍ単位での距離や、基地局ホームグループのうちの監視される基地局の個数が挙げられる。距離メトリックは任意の配備において明確であるが、基地局重畳メトリックは固有の不確定性を有する。というのは、基地局のセルサイズは、異なる配備エリアおよび異なる技術に対して大きく変わるからである。
【００３２】
以下で、本発明のさまざまな適用場面および例示的実施形態をやや詳細に説明する。
【００３３】
１．ＵＥ位置に基づくホームネットワーク装置の電力管理の適用例
電力管理アプリケーションとして設計されている管理アプリケーションが、ホームネットワークに関連づけられている移動端末のグループの地理的位置について通知される。すべての関連づけられたＵＥが自宅のまわりの所定エリアの外部にある場合、管理アプリケーションポリシーサーバは、ネットワーク装置（例えばフェムトセル、ホームゲートウェイ等）を省電力モードにするコマンドをホームコントローラへ送信する。ＵＥが再び自宅のまわりの所定エリアに入りつつある場合には、ウェイクアップコマンドがホームコントローラへ送信される。このコマンドは、ネットワーク装置に対して、完全動作モードに戻るように要求する。
【００３４】
２．ユーザ通知による電気器具制御の適用例
住宅制御アプリケーションとして設計されている管理アプリケーションは、すべてのＵＥが自宅から離れて数日間リモート位置にとどまるとき、暖房システムを休暇モードに設定することができる。変更した設定についてユーザに知らせるための通知がすべてのＵＥへ送信される。ＵＥが自宅方向へ移動する（例えば、リモート位置と自宅との間の距離の半分を進む）とすぐに、暖房システムは通常モードに設定され、ユーザが快適に帰宅できるようにする。この場合も、ユーザに知らせるための通知がＵＥへ送信される。
【００３５】
３．ユーザフィードバックによる電気器具制御の適用例
住宅安全アプリケーションとして設計されている管理アプリケーションが、ＵＥ位置を監視する。ＵＥが自宅位置を離れた場合、ホームコントローラへ通知が送信される。ホームコントローラは、所定の電気器具（例えばオーブン、住宅用警報装置等）のステータスをチェックする。これは、家庭用電気器具がホームコントローラへ自己のステータスを通信することができるが、外部からは見えないため、住宅安全アプリケーションによって直接に制御することはできないことを仮定している。ユーザが設定したポリシーに基づいて、ホームコントローラは、これらの電気器具へコマンドを発行する。例えば、すべてのＵＥが５０ｋｍよりも遠く離れている場合に自動的に警報をオンにし、そのアクションに関する通知をＵＥへ送信する。別法として、ホームコントローラは、とるべきアクションについてユーザ／ＵＥに対して確認応答を要求（例えば、オーブンを切るべきか？）する。
【００３６】
４．ＵＥ位置通知の適用例
子のＵＥが子供監督アプリケーションへ位置情報を送信する。このアプリケーションは、子供たちがばらばらに別れて相異なる方向に進んだ場合や、ある特定の位置（例えば、学校、遊び場、祖父母の家）を離れた場合に、親のＵＥへ通知メッセージを送信する。
【００３７】
上記の説明および添付図面の記載に基づいて、当業者は本発明の多くの変形例および他の実施形態に想到し得るであろう。したがって、本発明は、開示した具体的実施形態に限定されるものではなく、変形例および他の実施形態も、添付の特許請求の範囲内に含まれるものと解すべきである。本明細書では特定の用語を用いているが、それらは総称的・説明的意味でのみ用いられており、限定を目的としたものではない。
【図１】
0005596175.tif 000002
【図２】
0005596175.tif 000003